(57)【要約】【課題】  ミラーディスプレイ装置において、ミラーとしての表示と、ディスプレイ装置としての表示を、同時に表示するときに、両方の表示を見やすいように表示する。【解決手段】  ミラーディスプレイ装置（１０）において、複数の画素を有し表示信号に基づき画素を選択的に発光させる表示部（２）と、表示部を覆い反射率（Ｒh）が０．６以上、０．９以下であるミラー（１）と、ミラー（１）に写る被写体が存する環境の背面照度（Ｅa）を測定する第１のセンサー部（３）と、ミラー（１）を透過した表示部（２）からの発光の輝度が、背面照度（Ｅa）に基づいて定まる所定の範囲に含まれるよう、表示部（２）における発光の輝度を制御する制御部（４）とを備えたことを特徴とする。【選択図】図１
2014032312.tif 000002
【特許請求の範囲】
【請求項１】
複数の画素を有し表示信号に基づき前記画素を選択的に発光させる表示部と、
前記表示部を覆い反射率（Ｒh）が０．６以上、０．９以下であるミラーと、
前記ミラーに写る被写体が存する環境の背面照度（Ｅa）を測定するセンサー部と、
前記表示部からの発光の輝度が、前記背面照度（Ｅa）に基づいて定まる所定の範囲に含まれるよう、前記表示部における前記発光の輝度を制御する制御部と、
を備えたミラーディスプレイ装置。
【請求項２】
前記背面照度（Ｅa）が１００［ｌｘ］であるとき、
前記表示部からの発光の輝度が、
３５．０５Ｒh／（１−Ｒh）［ｃｄ／ｍ2］以上、
６３．４６Ｒh／（１−Ｒh）［ｃｄ／ｍ2］未満
である請求項１記載のミラーディスプレイ装置。
【請求項３】
前記表示部からの発光の輝度が、
０．１１６７Ｅa ・Ｒh（−０．１６ｌｏｇe（０．２２２８・Ｅa）＋３．５）／（１−Ｒh） ［ｃｄ／ｍ2］以上、
０．１１６７Ｅa ・Ｒh（−０．８９Ｌｏｇe（０．２２２８・Ｅa）＋８．２）／（１−Ｒh） ［ｃｄ／ｍ2］未満
である請求項１記載のミラーディスプレイ装置。
【請求項４】
さらに、前記ミラーに写る被写体に向けて光を照射する照明部を有する請求項１記載のミラーディスプレイ装置。
【請求項５】
前記制御部は、前記センサー部が測定した照度に基づき前記照明部が発する光の強度を制御する請求項４記載のミラーディスプレイ装置。
【請求項６】
前記ミラーの反射率Ｒhは、０．７以上、０．８以下である請求項１記載のディスプレイ装置。
【請求項７】
前記照明部が発する光の平均演色評価数Ｒaは９０以上であり、肌色の好ましさ指数ＰＳは９０以上である請求項４記載のミラーディスプレイ装置。
【請求項８】
前記照明部が発する光の相関色温度は５０００Ｋ以上である請求項４記載のミラーディスプレイ装置。
【請求項９】
複数の画素を有し表示信号に基づき前記画素を選択的に発光させる表示部と、
前記表示部を覆い反射率（Ｒh）が０．６以上、０．９以下であるミラーと、
前記ミラーに写る被写体が存する環境の背面照度（Ｅa）を測定するセンサー部と、
前記ミラーを透過した前記表示部からの発光の色度（ＬD，ｕ’D，ｖ’D  ）と基準色度値（ＬR，ｕ’R，ｖ’R  ）との色差△Ｅ×u,vが、
０．２２２８・Ｅa・（−０．１６ｌｏｇe（０．２２２８・Ｅa）＋２．５）以上、
０．２２２８・Ｅa・（−０．８９ｌｏｇe（０．２２２８・Ｅa）＋７．２）未満
となるよう、
前記表示部における発光の色度を制御する制御部と、
を備えたミラーディスプレイ装置。
【請求項１０】
前記基準色度値（ＬR，ｕ’R，ｖ’R）は、
色度（ＬH15,D65，ｕ’H15,D65，ｖ’H15,D65）
である請求項９記載のミラーディスプレイ装置。
【請求項１１】
前記基準色度値（ＬR，ｕ’R，ｖ’R）は、
色度（ＬG33,D65，ｕ’G33,D65，ｖ’G33,D65）
である請求項９記載のミラーディスプレイ装置。
【請求項１２】
複数の色度値を記憶する記憶部を備え、前記基準色度は前記複数の色度値から選択可能である請求項９記載のミラーディスプレイ装置。
【発明の詳細な説明】
【技術分野】
【０００１】
本発明は、ディスプレイの機能と、ミラーの機能を有するミラーディスプレイ装置に関する。
【背景技術】
【０００２】
近年、ディスプレイの新しい使い方として、ディスプレイ機能とミラーの機能を組合せ、ディスプレイとして画像を表示しないときにミラーとして使用できるミラーディスプレイ装置が提案されている。
特許文献１では、ミラーとディスプレイ装置を備えたミラーディスプレイ装置において、ミラー機能とディスプレイ機能を選択的に使用する場合における、ミラーの反射率とディスプレイ装置の輝度との最適な関係を開示している。
【０００３】
特許文献２では、人感センサーによって人の存在を検知し、ミラー機能からディスプレイ装置の表示機能に切り替えるミラーディスプレイ装置が開示されている。
【先行技術文献】
【特許文献】
【０００４】
【特許文献１】特開２００６−１２６３７９号公報
【特許文献２】特開２００６−５３２７７号公報
【発明の概要】
【発明が解決しようとする課題】
【０００５】
ところで、これまでのミラーディスプレイ装置は、ミラーの機能とディスプレイ装置の機能を択一的に使用するものであり、両機能を同時に使うことを想定したものではなかった。両方の機能を同時に使用することができれば、例えば、ミラー機能を使って化粧をする際に流行の化粧方法をディスプレイに表示させて使用者に情報を提供することができる。また、ディスプレイ機能によって、スポーツ、例えばゴルフやヨガの理想的なフォームや姿勢を表示させながら、ミラー機能によって自身の姿を写し、理想のフォームや姿勢に近付けるよう上達を支援することもできる。その他にもディスプレイ機能とミラー機能を同時に使用すると、両方の機能を組合せた、新たな使い方が可能となる。
【０００６】
本発明は、以上のような観点から、ミラーとしての表示と、ディスプレイ装置としての表示とを、同時に行うときに、両方を見やすいように表示するミラーディスプレイ装置を提供することを目的とする。
【課題を解決するための手段】
【０００７】
本発明の一態様であるミラーディスプレイ装置は、複数の画素を有し表示信号に基づき前記画素を選択的に発光させる表示部と、前記表示部を覆い反射率（Ｒh）が０．６以上、０．９以下であるミラーと、前記ミラーに写る被写体が存する環境の背面照度（Ｅa）を測定するセンサー部と、前記表示部からの発光の輝度が、前記背面照度（Ｅa）に基づいて定まる所定の範囲に含まれるよう、前記表示部における前記発光の輝度を制御する制御部と、を備えたことを特徴とする。
【発明の効果】
【０００８】
ミラーディスプレイ装置において、ミラー機能と、ディスプレイ機能を同時に使用するときに、両方の機能を見やすいように表示することができる。
【図面の簡単な説明】
【０００９】
【図１】実施の形態１の一態様にかかるミラーディスプレイ装置１０の構成図である。
【図２】実施の形態１の一態様に係るミラーディスプレイ装置１０の表示部２の一部拡大平面図である。
【図３】実施の形態１の一態様に係るミラーディスプレイ装置１０の表示部２の構成を示す図４におけるＡ−Ａ線で切った断面を示す模式断面図である。
【図４】実施の形態１の一態様に係るミラーディスプレイ装置１０の電気的な構成を示すブロック図である。
【図５】実施の形態１の一態様に係るミラーディスプレイ装置１０の表示部２の有する一サブ画素１００の回路構成及びその周辺回路との接続を示す図である。
【図６】実施の形態１の一態様に係るミラーディスプレイ装置１０の使用状態を示す概要図である。
【図７】ミラーディスプレイ装置のミラー１の反射率と反射画像Ａの見え方の関係を示す関係図である。
【図８】実施の形態１の一態様に係るミラーディスプレイ装置１０における、表示情報Ｂの反射画像Ａに対するコントラストと、表示情報Ｂ及び反射画像Ａの見やすさの関係図である。
【図９】実施の形態１の一態様に係るミラーディスプレイ装置１０における、表示情報Ｂの反射画像Ａに対するコントラストと、表示情報Ｂ及び反射画像Ａの見やすさの関係図である。
【図１０】実施の形態１の一態様に係るミラーディスプレイ装置１０における、表示情報Ｂ及び反射画像Ａの見やすさを基準としたときの、順応輝度Ｌaと表示情報Ｂの反射画像Ａに対するコントラストとの関係図である。
【図１１】実施の形態１の一態様に係るミラーディスプレイ装置１０における、表示情報Ｂ及び反射画像Ａの見やすさの基準を満たす、順応輝度Ｌaと表示情報Ｂの反射画像Ａに対するコントラストの範囲を示す関係図である。
【図１２】表示情報Ｂの反射画像Ａに対する色差△Ｅ*u,v計算フローチャートである。
【図１３】環境の背面照度Ｅa（ｌｘ）を１００（ｌｘ）としたとき、ミラー１の反射率Ｒhに対する、表示情報Ｂの輝度Ｌｄ（Ｃｄ／ｍ2）の適正範囲である。
【図１４】環境の背面照度Ｅa（ｌｘ）を１００（ｌｘ）としたとき、ミラー１の反射率Ｒhに対する、表示情報Ｂの輝度Ｌｄ（Ｃｄ／ｍ2）の適正範囲図である。
【図１５】実施の形態２の一態様にかかるミラーディスプレイ装置１０００の構成図である。
【図１６】実施の形態２の変形例の一態様に用いるために評価した補助照明６の相関色温度と観察者の瞳孔開口率の関係を示す特性図である。
【発明を実施するための形態】
【００１０】
≪本発明を実施するための形態に至った経緯について≫
ミラーディスプレイ装置は、ミラーとして使用することもでき、また、ディスプレイ装置として使用することもできる。また、両者を組み合わせた使い方も行うことができる。両方の機能を同時に使用することができれば、両方の機能を組合せた新たな使い方が可能となる。
【００１１】
ミラーとディスプレイ装置の機能を同時に使うアプリケーションの一例として、例えば、化粧の支援が考えられる。ミラーは化粧をする際に必ず使用する。その場合、使用者の顔が見やすく映ることが必要となる。一方、化粧には化粧方法として各種の方法が確立されている。また、近年新たな化粧方法も、開発されている。しかしながら、新しい化粧方法や流行にあった化粧方法に関する情報を、使用者がタイムリーに教授を受け得る簡便な手段はない。使用者が実際に化粧をするときに、化粧方法に関する情報を、タイムリーに提供することにより、化粧を支援することができれば有効であると考えられる。
【００１２】
そこで、発明者はミラーに自分の顔を映し、その上にディスプレイ装置によりグリッドや情報を表示させ、検討を行った。その結果、ミラーとして反射画像（例えば、使用者の顔）が映っているときに、ディスプレイ装置からの映像を重ねたり、反射画像の近傍にディスプレイ装置からの映像を表示する場合に、ディスプレイ装置からの映像の輝度が明るすぎたり、色が鮮やかすぎると、反射画像が見にくくなるという課題があることを発見した。特に、反射画像とディスプレイからの映像とを同じ場所に重ねて表示する場合には、近傍に表示するときよりも見にくくなる。具体的には、ディスプレイ装置による表示により、反射画像が見えにくくなる。つまり、ミラーとディスプレイ表示の２つの機能を同時に使用するためには、反射画像の見え方を優先するようにディスプレイを表示することが、使い勝手の上で有効であるという知見に至った。
【００１３】
さらに、光学的な反射画像と、電子情報である透過画像の関係を規定し制御する場合に、非電子情報である光学的な反射画像を認識し制御可能な情報に変換する方法についても、新たな解決手段の提供が必要であると考えた。
そこで、発明者らは、反射画像とディスプレイからの透過画像の両方を見やすく表示する技術について鋭意検討を行い、本発明の実施の形態の一態様に係るミラーディスプレイ装置に想到するに至った。
【００１４】
以下、本発明の実施の形態の一態様に係るミラーディスプレイ装置について、図面を参照しながら説明する。なお、本発明は、以下の実施の形態に限定されるものでなはない。
≪本発明を実施するための形態の概要≫
本発明を実施するための形態の一態様であるミラーディスプレイ装置は、複数の画素を有し表示信号に基づき前記画素を選択的に発光させる表示部と、前記表示部を覆い反射率（Ｒh）が０．６以上、０．９以下であるミラーと、前記ミラーに写る被写体が存する環境の背面照度（Ｅa）を測定するセンサー部と、前記表示部からの発光の輝度が、前記背面照度（Ｅa）に基づいて定まる所定の範囲に含まれるよう、前記表示部における前記発光の輝度を制御する制御部と、を備えたことを特徴とする。
【００１５】
ここで、ミラーの反射率０．６は反射率６０％を表し、反射率０．９は反射率９０％を表す。また、その他の反射率を示す数値についても同様である。
また、別の態様では、前記背面照度（Ｅa）が１００［ｌｘ］であるとき、前記表示部からの発光の輝度が、
３５．０５Ｒh／（１−Ｒh）［ｃｄ／ｍ2］以上、
６３．４６Ｒh／（１−Ｒh）［ｃｄ／ｍ2］未満
である構成であっても良い。
また、別の態様では、前記表示部からの発光の輝度が、
０．１１６７Ｅa ・Ｒh（−０．１６ｌｏｇe（０．２２２８・Ｅa）＋３．５）／（１−Ｒh）  ［ｃｄ／ｍ2］以上、
０．１１６７Ｅa ・Ｒh（−０．８９Ｌｏｇe（０．２２２８・Ｅa）＋８．２）／（１−Ｒh）  ［ｃｄ／ｍ2］未満
である構成であっても良い。
【００１６】
また、別の態様では、前記背面照度（Ｅa）が１００［ｌｘ］であるとき、前記ミラーを透過した前記表示部からの発光の輝度が、
３１．５３６・Ｒh［ｃｄ／ｍ2］以上、
５７．０９６・Ｒh［ｃｄ／ｍ2］未満
である構成であっても良い。
【００１７】
また、別の態様では、前記ミラーを透過した前記表示部からの発光の輝度が、
（−０．１６・ｌｏｇe（０．２２２８・Ｅa）＋３．５）・０．１０５・Ｅa・Ｒh［ｃｄ／ｍ2］以上、
（−０．８９・ｌｏｇe（０．２２２８・Ｅa）＋８．２）・０．１０５・Ｅa・Ｒh［ｃｄ／ｍ2］未満
である構成であっても良い。  また、別の態様では、さらに、前記ミラーに写る被写体に向けて光を照射する照明部を有する構成であっても良い。
【００１８】
また、別の態様では、前記制御部は、前記センサー部が測定した照度に基づき前記照明部が発する光の強度を制御する構成であっても良い。
また、別の態様では、前記ミラーの反射率Ｒhは、０．７以上、０．８以下である構成であっても良い。
また、別の態様では、前記照明部が発する光の平均演色評価数Ｒaは９０以上であり、肌色の好ましさ指数ＰＳは９０以上である構成であっても良い。
【００１９】
また、別の態様では、前記照明部が発する光の相関色温度は５０００Ｋ以上である構成であっても良い。
また、別の態様では、複数の画素を有し表示信号に基づき前記画素を選択的に発光させる表示部と、前記表示部を覆い反射率（Ｒh）が０．６以上、０．９以下であるミラーと、前記ミラーに写る被写体が存する環境の背面照度（Ｅa）を測定する第２のセンサー部と、前記ミラーを透過した前記表示部からの発光の色度（ＬD，ｕ’D  ，  ｖ’D  ）と基準色度値（ＬR，ｕ’R，  ｖ’R  ）との色差△Ｅ×u,vが、
０．２２２８・Ｅa・（−０．１６ｌｏｇe（０．２２２８・Ｅa）＋２．５）以上、
０．２２２８・Ｅa・（−０．８９ｌｏｇe（０．２２２８・Ｅa）＋７．２）未満
となるよう、前記表示部における発光の色度を制御する制御部と、を備えた構成であっても良い。
【００２０】
また、別の態様では、前記基準色度値（ｕ’R，  ｖ’R，  ＬR）は、色度（ｕ’H15,D65，  ｖ’H15,D65，  ＬH15,D65）である構成であっても良い。
また、別の態様では、前記基準色度値（ｕ’R，  ｖ’R，  ＬR）は、色度（ｕ’G33,D65，  ｖ’G33,D65，  ＬG33,D65）である構成であっても良い。
なお、以下で説明する実施の形態は、いずれも本発明の好ましい一具体例を示すものである。以下の実施の形態で示される数値、形状、材料、構成要素、構成要素の配置位置及び接続形態、工程、工程の順序などは一例であり、本発明を限定する主旨ではない。また、以下の実施の形態における構成要素のうち、本発明の最上位概念を示す独立請求項に記載されていない工程については、より好ましい形態を構成する任意の構成要素として説明される。
≪実施の形態１≫
以下、実施の形態１の一態様に係るミラーディスプレイ装置１０について、図面を参照しながら説明する。
【００２１】
＜ミラーディスプレイ装置１０の全体構成＞
図１は、実施の形態１の一態様にかかるミラーディスプレイ装置１０の構成図である。ミラーディスプレイ装置１０は、ミラー１、表示部２、センサー部３、制御部４、筐体５を有する。ミラー１が表示部２の画像表示面２ａの少なくとも一部を覆うように、反射面１ａの裏側の面を表示部２の画像表示面２ａに向けてミラー１は配置され、その状態でミラー１と表示部２が筐体５の内部に収容されている。筐体５は開口５ａを有し、ミラー１の反射面１ａは開口５ａを通して筐体５の外部に露出している。筐体５は黒色の樹脂材料からなる。センサー部３は、図示しないフォトダイオードを筐体５の開口５ａと同一面にある開口窓５ｂの内部に有し、開口窓５ｂの前方の所定範囲の照度を測定する。制御部４は表示部２を駆動する。
【００２２】
以下、ミラーディスプレイ装置１０を構成する各要素について説明する。
＜ミラー１＞
ミラー１は、例えば、ガラス、樹脂フィルムやシート等の透明な基材の一方の側の面に、クロムやアルミニウム等の金属を、真空蒸着やスパッタリング、メッキ等によって、３０μｍ以下の厚さで形成することにより、金属光沢と光透過性を有する。本実施の形態では、ミラー１は、屈折率の異なる数種類の薄膜からなる多層干渉膜より構成される反射率６０から９０％の反射面１ａを有する。また、本実施の形態では、ミラー１の透過効率は約９０％である。
【００２３】
＜表示部２＞
実施の形態１の一態様に係るミラーディスプレイ装置１０では、表示部は表示部２から構成される。表示部２の構成について、図２および図３を用いて説明する。表示部２は１９インチの画像表示面２ａを有する有機ＥＬ（エレクトロルミネッセンス）表示パネルである。
【００２４】
図２は、実施の形態１の一態様に係るミラーディスプレイ装置１０の表示部２の一部拡大平面図である。図３は、実施の形態１の一態様に係るミラーディスプレイ装置１０の表示部２の構成を示す図４におけるＡ−Ａ線で切った断面を示す模式断面図である。表示部２は、図３の上側を表示面とする、いわゆるトップエミッション型である。以下、表示面側（基板１１の機能層５０が形成されている側）を上、その反対側を下として説明する。
【００２５】
図２に示すように、表示部２は、赤（Ｒ）、緑（Ｇ）、青（Ｂ）の何れかの発光色に対応する有機発光層１６（図３参照）を有する有機ＥＬ素子を、最少発光単位であるサブ画素１００（Ｒ）、１００（Ｂ）、１００（Ｇ）（以下、「Ｒ、Ｇ、Ｂ」を付して区別する説明する必要がない箇所では単に「サブ画素１００」と記載する。）とし、Ｒ、Ｇ、Ｂの色単位に列毎にマトリクス状に配列されており、同一列に属するサブ画素１００は同色に対応する。サブ画素１００（Ｒ）、１００（Ｂ）、１００（Ｇ）の３つのサブ画素の組み合わせにより１つの画素（画素）２０８が構成される。
【００２６】
隔壁１３に設けられた開口部１３ａは、行列状に（ＸＹ方向に）配列されている。
図２に示すように、開口部１３ａ（Ｒ）、開口部１３ａ（Ｇ）、開口部１３ａ（Ｂ）には、それぞれ、赤（Ｒ）、緑（Ｇ）、青（Ｂ）の何れかの発光色に対応する有機発光層１６（Ｒ）、１６（Ｇ）、１６（Ｂ）を含む機能層５０（Ｒ）、５０（Ｇ）、５０（Ｂ）が形成されている。
【００２７】
なお、図２においては、一部の開口部１３ａにのみ符号を付している。なお、図２においては、サブ画素１００をわかりやすく図示するために、後述する陽極１９を取り除いた状態で示している。
次に、図３に示すように、表示部２は、基板１１をベースとして形成されている。そして、基板１１上には、陰極１２が互いに間隔を開けて形成されている。基板１１および陰極１２の上には、サブ画素１００に対応する位置に複数の開口部１３ａ（図２の破線で表した部分）が形成された隔壁１３が設けられている。開口部１３ａ（Ｒ）、１３ａ（Ｂ）、１３ａ（Ｂ）の内部には、各々有機発光層に電子を注入するための電子注入層１４（Ｒ）、１４（Ｇ）、１４（Ｂ）、電子注入層から注入された電子を有機発光層まで運ぶ電子輸送層１５（Ｒ）、１５（Ｇ）、１５（Ｂ）、有機発光層１６（Ｒ）、１６（Ｇ）、１６（Ｂ）、及び、正孔注入層から注入された正孔を有機発光層まで運ぶ正孔輸送層１７（Ｒ）、１７（Ｇ）、１７（Ｂ）、正孔を注入するための正孔注入層１８（Ｒ）、１８（Ｇ）、１８（Ｂ）が順次形成されている。そして、正孔注入層１８（Ｒ）、１８（Ｇ）、１８（Ｂ）上に、複数のサブ画素１００を覆って陽極１９が形成されている。陰極１２と陽極１９の間に電圧が印加されると、陰極１２と陽極１９、及びそれらの間に形成されるキャリア（電子、正孔）が有機発光層１６（Ｒ）、１６（Ｇ）、１６（Ｂ）の内部で再結合し電界発光現象に伴う発光が生じる。
【００２８】
＜センサー部３＞
センサー部３は、例えば、フォトダイオード及び増幅回路等から構成される。筐体５の開口５ａと同一面にあるセンサー部３用の開口窓５ｂを通して反射面１ａの前方の所定のエリアにおける照度を検出し、その明るさに応じた照度信号を制御部４に出力する。
＜ミラーディスプレイ装置１０の電気的構成＞
以下、本発明の実施の形態について、図面を参照しながら説明する。
【００２９】
図４は、実施の形態１の一態様に係るミラーディスプレイ装置１０の電気的な構成を示すブロック図である。同図におけるミラーディスプレイ装置１０は、表示部２と、センサー部３と、制御部４とから構成される。制御部４は、制御回路１０１と、メモリ１０２と、走査線駆動回路１０３と、データ線駆動回路１０４とを備える。
また、図５は、実施の形態１の一態様に係るミラーディスプレイ装置１０の表示部２の有する一サブ画素１００の回路構成及びその周辺回路との接続を示す図である。同図におけるサブ画素１００の回路構成は、走査線２００と、データ線２０１と、電源線２０２と、スイッチングトランジスタ２０３と、駆動トランジスタ２０４と、有機ＥＬ素子２０５と、保持容量２０６と、共通電極２０７とを備える。また、周辺回路は、走査線駆動回路１０３と、データ線駆動回路１０４とを備える。
【００３０】
（電気的各構成要素の動作について）
図４及び図５に記載された構成要素について、以下、その機能を説明する。
制御回路１０１は、走査線駆動回路１０３、データ線駆動回路１０４、及びメモリ１０２の制御を行う機能を有する。センサー部３は、ミラーディスプレイ装置１０が置かれた環境の照度を測定し、照度情報を制御回路１０１に出力する。メモリ１０２には、照度情報に対応した各画素の特性パラメータが記憶されている。制御回路１０１は、センサー部３から照度情報を受け、メモリ１０２に書き込まれた当該照度情報に対応した特性パラメータを読み出し、外部から入力された映像信号データを、その特性パラメータに基づいて補正して、データ線駆動回路１０４へと出力する。
【００３１】
走査線駆動回路１０３は、多数のサブ画素１００が行列状に配列された表示部２を１行ずつ列方向に所定の時間順序で選択するもので、各行ごとに設けられた走査線２００に接続されている。選択によって、サブ画素１００のスイッチングトランジスタ２０３の導通・非導通を制御する機能を有する。
データ線駆動回路１０４は、表示部２の各列のデータ線２０１に接続されており、信号電圧を出力して、駆動トランジスタ２０４に流れる信号電流を決定する機能を有する。
【００３２】
スイッチングトランジスタ２０３は、ゲートが、走査線２００に接続されており、データ線２０１の信号電圧を駆動トランジスタ２０４のゲートに供給するタイミングを制御する機能を有する。
駆動トランジスタ２０４は、駆動素子として機能し、駆動トランジスタ２０４のゲートは、スイッチングトランジスタ２０３を介してデータ線２０１に接続され、ソースが有機ＥＬ素子２０５のアノードに接続され、ドレインが、電源線２０２に接続されている。これにより、駆動トランジスタ２０４は、ゲートに供給された信号電圧を、その信号電圧に対応した信号電流に変換し、変換された信号電流を有機ＥＬ素子２０５に供給する。
【００３３】
有機ＥＬ素子２０５は、発光素子の代表的な一例であり、有機ＥＬ素子２０５のカソードは、共通電極２０７に接続されている。
保持容量２０６は、電源線２０２と駆動トランジスタ２０４のゲート端子との間に接続されている。保持容量２０６は、例えば、スイッチングトランジスタ２０３がオフ状態となった後も、直前のゲート電圧を維持し、継続して駆動トランジスタ２０４から有機ＥＬ素子２０５へ駆動電流を供給させる機能を有する。
【００３４】
なお、図４、図５には記載されていないが、電源線２０２は電源に接続されている。また、共通電極２０７も別の電源に接続されている。
以上のとおり、データ線駆動回路１０４から供給された信号電圧は、スイッチングトランジスタ２０３を介して駆動トランジスタ２０４のゲート端子へと印加される。駆動トランジスタ２０４は、そのデータ電圧に応じた電流を、ソース−ドレイン端子間に流す。この電流が、有機ＥＬ素子２０５へと流れることにより、その電流に応じた発光輝度で、有機ＥＬ素子２０５が発光することとなる。
【００３５】
次に、表示部２による、画像を表示するための動作について説明する。
すなわち、前記データ線駆動回路１０４が全てのデータ線に信号電圧を出力し、一定期間保持する。この保持期間中に、前記走査線駆動回路１０３が走査信号を１つの行に供給する。走査信号が供給されると、該当する行の画素部のスイッチングトランジスタ２０３が導通し、各データ線に供給されている信号電圧を該当する画素部の駆動トランジスタ２０４のゲートに印加する。信号電圧の大きさに応じて駆動トランジスタ２０４に流れる電流が制御されるので、その電流量に応じて有機ＥＬ素子２０５が発光する。発光は、次にその行が走査線駆動回路１０３によって指定されるまでの、１フレーム期間継続する。走査線駆動回路１０３が、１の行に走査信号を供給してから次の行に走査信号を供給するまでに、データ線駆動回路１０４が、新たな信号電圧を全てのデータ線上に供給する。すると、前の行の画素部と同様な動作を行って、走査信号が供給されたタイミングで、次の行の画素部の駆動トランジスタ２０４のゲートに新たな信号電圧が印加され、それに応じた信号電流を有機ＥＬに流し、１フレーム期間発光させる。データ線駆動回路１０４が新たな信号電圧をデータ線に供給し、走査線駆動回路１０３が新たな行に走査信号を供給する度に、上記と同様にして走査信号が供給された行の画素部の有機ＥＬが１フレーム期間発光する。
【００３６】
このようにして表示部全体の有機ＥＬ素子２０５がそれぞれ供給された信号電圧の大きさに応じた明るさで時間差を持ちながら発光し、表示部全体として画像表示を行う。
＜ミラーディスプレイ装置１０の評価に基づくパラメータの設定について＞
（１．ミラーディスプレイ装置１０の使用状態について）
図６は、実施の形態１の一態様に係るミラーディスプレイ装置１０の使用状態を示す概要図である。  ミラーディスプレイ装置１０に構成されるミラー１に、観察者Ａ０の反射画像Ａが映し出されている。さらに、ミラー１には、表示部２に表示されたグリッド表示や表示文字等の表示情報Ｂがミラー１を透けて映し出される。このとき、ミラー１を透過する表示情報Ｂの輝度が明るすぎる場合や、色が鮮やかすぎる場合には観察者Ａ０の反射画像Ａが見にくくなる。他方、表示情報Ｂの輝度が暗すぎる場合や、色がくすんでいる場合には、観察者Ａ０は表示情報Ｂが見にくくなる。そこで、反射画像Ａが見やすく、表示情報Ｂも見やすい条件を実験により導き、特性パラメータとしてメモリ１０２に記憶しておき、制御回路１０１がメモリ１０２から特性パラメータを読み出し、外部から入力された映像信号データをその特性パラメータに基づいて補正して、データ線駆動回路１０４へと出力する構成とした。
【００３７】
以下、ミラー１の反射画像Ａが見やすく、ミラー１を透過する表示情報Ｂも見やすい使用条件を可能とする特性パラメータの内容について説明する。
（２．ミラー１の反射率について）
次に、ミラーディスプレイとして使用する場合に、ミラーとして使用可能なミラーの反射率の範囲を実験により求めた。図７は、ミラーディスプレイ装置のミラー１の反射率と反射画像Ａの見え方の関係を示す関係図である。反射率の異なる数種類のミラーを用い、ミラーとしての見え方について被験者９名を用いて満足か不満かの２者択一で評価実験を行った。図７の縦軸は、反射画像の画質が良いと判断した被験者の割合を示す。図７に示すとおり、ミラーの反射率が６０％のときに見え方は、５０％以上の人が良いと評価した。また、反射率が７０％のときに見え方は、８０％以上の人が良いと評価した。さらに、反射率が８０％のときに見え方は、９８％の人が良いと評価した。この結果から、ミラーとして使用可能な反射率の下限は、半数以上が良いと評価した反射率６０％とした。したがって、ミラーの反射率は６０％以上が好ましい。また、７０％以上がより好ましく、さらには８０％以上ではさらに好ましい。
【００３８】
一方、ミラー１の反射率が９０％のとき、反射画像の見え方は、１００％の人が良いと評価した。このとき、ミラーの透過率は１０％であるのでディスプレイの輝度が１０％まで減少する。そのため、これ以上のミラーの反射率は不要と考えられ、ミラー１の反射率は９０％以下であることが好適であると考えられる。
（３．表示情報Ｂの反射画像Ａに対するコントラストについて）
次に、実施の形態１に示したミラーディスプレイ装置１０を用い、表示情報Ｂの反射画像Ａに対するコントラストと、表示情報Ｂ及び反射画像Ａの見やすさとの関係を実験により評価した。具体的には、反射率の異なる３種類のミラー１を用い、表示情報Ｂの反射画像Ａに対するコントラストを変えて両方の見え方を評価した。ここで、表示情報Ｂはミラー１を透過した画像又は文字情報であり、反射画像Ａはミラー１を反射した画像である。
【００３９】
表示情報Ｂ及び反射画像Ａの見やすさは、表示情報Ｂの輝度Ｌtと表示情報Ｂの背面輝度とのコントラストで決まる。ここで、反射画像Ａの輝度は表示情報Ｂにとっての背面輝度であり、反射画像Ａの輝度は後述する順応輝度Ｌaとして表すことが出来る。すなわち、コントラストをＣＲとおくと、
ＣＲ＝（Ｌt  −  Ｌa）／Ｌa
として定義される。実験では、コントラストＣＲを順応輝度毎に以下のような方法で求めた。すなわち、ミラー１を通して表示される表示部２からの表示情報Ｂの輝度を測定し表示情報Ｂの輝度Ｌtとし、ミラー１を通して表示される反射画像Ａの輝度を測定し表示画像の輝度Ｌaとし、反射画像Ａの輝度に対する表示画像Ｂの輝度を求めコントラストＣＲとした。
【００４０】
また、表示情報Ｂ、及び反射画像Ａの見やすさについて、被験者を用いて評価を行った。評価は、レベル０：「見えない、又は非常に見にくい」、レベル１：「やっと見える、又はかなり見にくい」、レベル２：「多少見にくいが見える」、レベル３：「苦労せずに見える、又はやや見やすい」、レベル４：「見やすい、又はかなり見やすい」、レベル５：「非常に見やすい」の６段階で行った。また、人間の目の感度は周辺の明るさで変化し、評価は被験者が一定時間の居た環境の照度、すなわち順応照度の影響を受ける。実際に人間の目に入る明るさは順応照度を輝度値に変換した順応輝度であり、評価は、順応輝度１００ｃｄ／ｍ2、５００ｃｄ／ｍ2の２条件にて行った。
【００４１】
次に、コントラストと表示情報及び反射画像の見やすさの実験結果を示す。図８、及び図９は、実施の形態１の一態様に係るミラーディスプレイ装置１０における、表示情報Ｂの反射画像Ａに対するコントラストと、表示情報Ｂ及び反射画像Ａの見やすさの関係図である。図８に順応輝度１００ｃｄ／ｍ2、図９に順応輝度５００ｃｄ／ｍ2のときの実験結果である。
【００４２】
図８、及び図９に示すように、表示情報Ｂの見易さはコントラストの増加に伴って上昇する。反面、反射画像Ａの見易さはコントラストの増加に伴って減少する。この結果から、表示情報Ｂが反射画像Ａに対して、極力影響を及ぼさずに見える最低限の条件として、表示情報Ｂについてはレベル２の「多少見にくいが見える」以上のレベルが必要な条件であると評価した。また、反射画像Ａが表示情報Ｂの影響を極力受けずに見える最低限の条件として、反射画像Ａについてもレベル２の「多少見にくいが見える」
以上のレベルを必要な条件と評価した。この結果、表示情報Ｂ及び反射画像Ａの両方に関してレベル２から３の範囲が、両方を見やすいと感じる範囲であることが判明した。
【００４３】
また、表示情報Ｂ及び反射画像Ａの両方に関してレベル２から３の範囲については、ミラーの反射率の違いによって、見え方の評価の差は小さいことが判明した。
以上の結果を含めた、順応輝度は、１．３ｃｄ／ｍ2，  １００ｃｄ／ｍ2，  ２５０ｃｄ／ｍ2，  ５００ｃｄ／ｍ2の４種類について、ミラー１の反射率が５０％から９０％のときの評価結果の平均値を用いて順応輝度ＬaとコントラストＣＲの関係を求めた。図１０は、実施の形態１の一態様に係るミラーディスプレイ装置１０における、表示情報Ｂ及び反射画像Ａの見やすさを基準としたときの、順応輝度Ｌaと表示情報Ｂの反射画像Ａに対するコントラストとの関係図である。
【００４４】
図１１は、実施の形態１の一態様に係るミラーディスプレイ装置１０における、表示情報Ｂ及び反射画像Ａの見やすさの基準を満たす、順応輝度Ｌaと表示情報Ｂの反射画像Ａに対するコントラストの範囲を示す関係図である。表示情報Ｂ及び反射画像Ａの両方を見やすいと感じるレベル２から３の範囲を斜線で示した。順応輝度をＬa、コントラストをＣＲとおけば、斜線部の下限を示す近似曲線は、
ＣＲ＝−０．１６・ｌｏｇe（Ｌa）  ＋  ２．５
となる。また、斜線部の上限を示す近似曲線は、
ＣＲ＝−０．８９・ｌｏｇe（Ｌa）  ＋  ７．２                            となる。
【００４５】
すなわち、順応輝度をＬaとしたとき、表示情報Ｂの反射画像Ａに対するコントラスト（ＣＲ）の適正範囲は、次式で規定される。
ＣＲ≧−０．１６・ｌｏｇｅ（Ｌa）  ＋  ２．５               （式１）
ＣＲ＜−０．８９・ｌｏｇｅ（Ｌa）  ＋  ７．２               （式２）
（４．表示情報Ｂの反射画像Ａ１に対する色差△Ｅ*u,vについて）
以上、図６に示した、反射画像Ａと表示情報Ｂとが重なった場合における表示情報Ｂとの表示情報の反射画像に対するコントラストの適切な範囲を示した。次に、当該範囲から表示情報の反射画像に対する色の差である色差△Ｅ*u,vの適切である範囲につい
て検討を行った。以下、その内容について説明する。
【００４６】
色差△Ｅ*u,vの計算では、図６に示したように反射画像Ａと重なった表示情報Ｂと
の色差△Ｅ*u,vを計算する。図１２は、表示情報Ｂの反射画像Ａに対する色差△Ｅ*
u,v計算フローチャートである。ここでは、基準白色として標準の光６５の色度、照明光源の特殊演色評価用色票の日本人女性の平均肌色であるＮｏ．１５の色度を使用した。
【００４７】
[ステップＡ]
図６の反射画像Ａが観察者の顔色である場合を想定して肌色の色度の計算を行う。観察者の顔に照射される光の照度が順応照度Ｅaと同しであることを条件とした。ミラーの反射率Ｒhのとき、順応照度は、
Ｌa＝Ｅa・Ｒh／π       となる。
【００４８】
そのため、Ｄ６５標準光源のもとでのＣＩＥ１９７６Ｌ*ｕ*ｖ*均等色空間における反射画像Ａの肌色色度、すなわち、照明光源の特殊演色評価用色票の日本人女性の平均肌色であるＮｏ．１５の色度は
（ＬH15,D65，ｕ’H15,D65，ｖ’H15,D65  ）
＝（Ｅa・０．３３／π，０．２３３８，  ０．４９１２  ）             となる。
【００４９】
（ただし、Ｅa・０．３３／π  における、 ０．３３（Ｒh）は照      明光源の特殊演色評価用色票の日本人女性の平均肌色であるＮｏ．１５の色度の      反射率である。）
また、Ｈ１５は、照明光源の特殊演色評価用色票の日本人女性の平均肌色であるＮｏ．１５を意味する。
【００５０】
[ステップＢ]
図６のミラーディスプレイ装置１０における表示情報Ｂの色度を設定する。すなわち、ミラーディスプレイ装置１０のミラー１を通して出力される表示部２からの
色度（Ｌ D・ＴD， ｕ’D，  ｖ’D    ）                      となる。
【００５１】
（ただし、Ｔ D：ディスプレイの透過効率であり９０％）
ここで、表示部２への映像信号（Ｒ、Ｇ，Ｂ）から、色度（Ｌ，ｕ’，ｖ’）への変換は、例えばＣＩＥ１２２−１９９６  Ｔｈｅ  Ｒｅｌａｔｉｏｎｓｈｉｐ  ｂｅｔｗｅｅｎ  ｄｉｇｉｔａｌ  ａｎｄ  ｃｏｌｏｒｉｍｅｔｒｉｃ  ｄａｔａ  ｆｏｒ  ｃｏｍｐｕｔｅｒ−ｃｏｎｔｒｏｌｌｅｄ  ｃｒｔ  ｄｉｓｐｌａｙｓに記載のように、ディスプレイのγと輝度、色度との対応関係を数式化することによってディスプレイ上で正確な色再現を行うことができる。すなわち、ディスプレイの各ＲＧＢ原色の階調レベルとＣＩＥ  ＸＹＺ三刺激値とを結びつけることができる。
ＲＧＢ→ＸＹＺ変換
Ｘ  ＝  ３２，３０６・Ｒ＋２０，４１６  ・Ｇ＋１２，００６・Ｂ＋０．０４４
Ｙ  ＝  １７，６５１・Ｒ＋４４，６５１  ・Ｇ＋  ６，３３１・Ｂ＋０．０４９
Ｚ  ＝    １，５７４・Ｒ＋    ９，３２４・Ｇ＋６２，５８４・Ｂ＋０．０６６
さらに、ＣＩＥ  ＸＹＺ三刺激値とＣＩＥ１９７６Ｌ*，ｕ*，ｖ*との結びつけは、たとえば、色彩科学ハンドブック第２版、２７６ページから２７７ページに記載のように一義的に変換することができる。
ＸＹＺ→Ｌ，ｕ’，ｖ’変換
ｕ'=４・Ｘ  ／  （Ｘ  ＋  １５・Ｙ  ＋  ３・Ｚ）
ｖ'＝  ９・Ｙ  ／  （Ｘ  ＋  １５・Ｙ  ＋  ３・Ｚ）
Ｌ＝Ｙ
[ステップＣ]
基準白色Ｄ６５を設定する。すなわち、
（ＬR100%,D65，ｕ’D65，ｖ’D65  ）
＝（１００，０．１９７８，０．４６８３  ）となる。
【００５２】
[ステップＤ]
基準白色Ｄ６５条件下での反射画像Ａである肌色の均等色空間を求める。
ここで、色度（Ｌ*，ｕ*，ｖ*）は、ＣＩＥ１９７６Ｌ*ｕ*ｖ*色空間（以後、Ｌ*ｕ*ｖ*色空間と省略する）における色度を指す。
（Ｌ*H15,D65，ｕ*H15,D65，  ｖ*H15,D65）
＝（１１６・（ＬH15,D65／  ＬR100%,D65）1/3−１６，
１３・Ｌ*H15,D65・（ｕ’H15,D65  −  ｕ’D65  ），
１３・Ｌ*H15,D65・（ｖ’H15,D65 −  ｖ’D65  ）  ）               となる。
【００５３】
[ステップＥ]
基準白色Ｄ６５条件下でのディスプレイ装置の表示情報Ｂの均等色空間を求める。
（Ｌ*D，  ｕ*D，  ｖ*D）
＝１１６・（ＬH15,D65／  ＬR100%,D65）1/3−１６，
（１３・Ｌ*D・（ｕ’D  −  ｕ’D65  ），
１３・Ｌ*D・（ｖ’D −  ｖ’D65  ））                        となる。
【００５４】
[ステップＦ]
ステップＤとステップＥでもとめた、２つ色度の色差△Ｅ*u,vを求める。
△Ｅ*u,v＝［（△Ｌ*）2＋（△ｕ*）2＋（△ｖ*）2］1/2
＝［（  Ｌ*H15,D65−  Ｌ*D）2＋（（ｕ*H15,D65−  ｕ*D）2
＋（ｖ*H15,D65−  ｖ*D）2］1/2                                     となる。
（色差△Ｅ*u,v とコントラストＣＲとの関係）
コントラスト（ＣＲ）は、Ｌ*ｕ*ｖ*色空間における色度（Ｌ*，ｕ*，ｖ*）における明度指数Ｌ*（以後、明度Ｌ*と省略する）の比である。明度Ｌ*の差は、知覚色度指数（ｕ*，ｖ*）（以後、知覚色度ｕ*ｖ*と省略する）におけるコントラスト、すなわち、コントラストを輝度差に変換し、輝度差に色度差も加えた色差に置き換える。
【００５５】
すなわち、
△Ｅ*u,v＝［（△Ｌ*）2＋（△ｕ*）2＋（△ｖ*）2］1/2
＝［（  Ｌ*H15,D65−  Ｌ*D）2＋（（ｕ*H15,D65−  ｕ*D）2
＋（ｖ*H15,D65−  ｖ*D）2］1/2
ここで、△ｕ*とか△ｖ*といった知覚色度の差がないときに、
△Ｅ*u,v＝△Ｌ*                                                      となる。
【００５６】
すなわち、色差は輝度差となる。コントラストＣＲから輝度差の式に直すと、
ＣＲ＝（Ｌt  −  Ｌa）／Ｌa
（ただし、Ｌt：表示情報の輝度、Ｌa：順応輝度）
｜Ｌt  −  Ｌa｜＝Ｌa・ＣＲ                              となる。      
【００５７】
△Ｌ*≒｜Ｌt  −  Ｌa｜                                  
であるから
△Ｅ*u,v＝Ｌa・ＣＲ
となり、コントラストＣＲを、△ｕ*と△ｖ*を加味した色差△Ｅ*u,vに変形するこ
とができる。
【００５８】
ここから、順応輝度をＬaとしたとき、表示情報Ｂの反射画像Ａに対する色差△Ｅ*
u,vの適正範囲は、次式で規定される。
△Ｅ*u,v＝Ｌa・ＣＲ≧Ｌa・（−０．１６・ｌｏｇe（Ｌa）  ＋  ２．５）
△Ｅ*u,v＝Ｌa・ＣＲ＜Ｌa・（−０．８９・ｌｏｇe（Ｌa）  ＋  ７．２）
ここで、順応輝度Ｌaとは、周囲の明るさに目が慣れた状態での観察者の目に入ってくる周辺の輝度であって、順応輝度Ｌaは、周囲の明るさに観察者の目が慣れた状態においては、観察者の置かれた環境の輝度に置き換えることができる(以後、観察者の置かれた環境の輝度を背面輝度Ｌa（Ｃｄ／ｍ2）と表す)。また、観察者の置かれた環境の背面輝度Ｌa（Ｃｄ／ｍ2）は、観察者の置かれた環境の背面照度Ｅa（ｌｘ）から、次式のように規定される。
【００５９】
Ｌa＝Ｅa・Ｒw／π
（ただし、Ｒwは、一般家庭の室内壁面の平均反射率）
ここから、背面照度をＥaとしたとき、表示情報Ｂの反射画像Ａに対する色差△Ｅ*
u,vの適正範囲は、次式で規定される。
【００６０】
△Ｅ*u,v≧Ｅa・（Ｒw／π）・（−０．１６・ｌｏｇe（Ｅa・Ｒw／π）＋２．５）
△Ｅ*u,v＜Ｅa・（Ｒw／π）・（−０．８９・ｌｏｇe（Ｅa・Ｒw／π）＋７．２）
さらに、一般家庭の室内壁面の平均反射率Ｒwは、０．７であるから、背面照度をＥaとしたとき、表示情報Ｂの反射画像Ａに対する色差△Ｅ*u,vの適正範囲は、次式で
規定される。
△Ｅ*u,v≧０．２２２８・Ｅa・（−０．１６・ｌｏｇe（０．２２２８・Ｅa)
＋２．５）  （式３）
△Ｅ*u,v＜０．２２２８・Ｅa・（−０．８９・ｌｏｇe（０．２２２８・Ｅa）
＋７．２）  （式４）
以上、ディスプレイ装置からの表示情報Ｂと反射画像Ａが重なったときに最適な色差になるように計算した。表示情報Ｂの反射画像Ａに対する色差△Ｅ*u,vを上記の範囲
なるようディスプレイ表示を行えば、ミラーに映った顔にディスプレイ装置によって表示された画像や文字が目立つことなく、かつ、不自由なく文字を読むことができる。また、表示情報Ｂの反射画像Ａに対するコントラストを所定の範囲にするよう表示する場合に比べて、より低い輝度で見やすい表示を行うことができる。
【００６１】
具体的には、ミラーディスプレイ装置１０において、ミラー１に写る被写体が存する環境の背面照度（Ｅa）を測定するセンサー部３を備え、ミラー１を透過した表示部２からの発光の色度（ＬD，ｕ’D，ｖ’D  ）と基準色度値（ＬR，ｕ’R，ｖ’R  ）との色差△Ｅ×u,vが、０．２２２８・Ｅa・（−０．１６・ｌｏｇｅ（０．２２２
８・Ｅa）＋２．５）以上、０．２２２８・Ｅa・（−０．８９・ｌｏｇｅ（０．２２２８・Ｅa）＋７．２）未満となるよう、表示部２における発光の色度を制御する制御部４とを備えた構成とすることにより可能となる。ここで、複数の色度値を記憶する記憶部をメモリー１０２に備え、基準色度は前記複数の色度値から選択可能な構成としも良い。人の顔色を背景とする場合には、基準色度値（ＬR，ｕ’R，ｖ’R）は、代表的な肌色を表す色度（ＬH15,D65，ｕ’H15,D65，ｖ’H15,D65）を選択としても良い。また、背景色が予め定まらない場合には、基準色度値（ＬR，ｕ’R，ｖ’R）は、平均色としてグレーを表す色度（ＬG33,D65，ｕ’G33,D65，ｖ’G33,D65）を選択しても良い。
【００６２】
尚、表示情報Ｂと反射画像Ａが重ならない場合や、反射画像Ａでも肌色ではなく、服や髪の毛に重なるようにするよう数値範囲を変更することも可能である。
また、ミラーディスプレイ装置１０の表示における色度のうち表示部２から透過され出力される表示情報Ｂの色度を測定するためには、図６の状態で、周囲を暗黒として観察者の位置に分光輝度計を設定してミラーディスプレイ装置１０の表示情報Ｂの色度を計測することができる。この場合、ミラーの透過率を考慮することが好ましい。また、表示部２から発光される光の輝度や色度を直接測定することは、ミラーを取り外して表示部２を露出させた状態で表示部２から発光される光の輝度や色度を計測することで可能となる。
【００６３】
（５．表示情報Ｂの適正な輝度の範囲について）
反射画像Ａと表示情報Ｂとが重なった場合や近傍に表示された場合における表示情報Ｂの反射画像Ａに対するコントラストについて、適正な範囲を示した。次に、この適正範囲に基づき、ミラーディスプレイ装置１０を見やすく表示させるために必要な表示情報Ｂの輝度を、反射画像Ａの輝度をあらわす順応輝度との関係で検討した。
【００６４】
前記したように、コントラスト（ＣＲ）は、次式で規定される。
ＣＲ＝（Ｌｄ2−Ｌh）／Ｌh
（ただし、Ｌｄ2は、ミラー１を透過した表示部２の表示情報Ｂの輝度（Ｃｄ／ｍ2）
Ｌhは、ミラー１を反射した反射画像Ａの輝度（Ｃｄ／ｍ2））
ここで、         Ｌｄ2＝Ｌｄ・（１−Ｒh）・Ｔd
（ただし、Ｌｄは、表示部２の表示情報Ｂの輝度（Ｃｄ／ｍ2）
Ｒhは、ミラー１の反射率
Ｔdは、ミラー１の透過効率）
また、           Ｌh＝Ｌs・Ｒh
（ただし、Ｌsは、観察者の顔面の輝度（Ｃｄ／ｍ2））
さらに、         Ｌs＝Ｅs・Ｒs／π
（ただし、Ｅsは、観察者の顔面照度（ｌｘ）、Ｒsは、観察者の顔面の反射率）
以上より、表示部２からの表示情報Ｂの輝度Ｌｄ（Ｃｄ／ｍ2）は、次式で規定される。
【００６５】
Ｌｄ＝（ＣＲ＋１）・Ｅs・Ｒs・Ｒh／（π  ・（１−Ｒh）・Ｔd）
前記したように、観察者の置かれた環境の背面輝度をＬa（Ｃｄ／ｍ2）としたとき、表示情報Ｂの反射画像Ａに対するコントラスト（ＣＲ）の適正範囲は、次式で規定されることから、
ＣＲ≧−０．１６・ｌｏｇe（Ｌa）  ＋  ２．５               （式１）
ＣＲ＜−０．８９・ｌｏｇe（Ｌa）  ＋  ７．２               （式２）
表示部２からの表示情報Ｂの輝度Ｌｄ（Ｃｄ／ｍ2）は、の適正範囲は、次式で規定される。
【００６６】
Ｌｄ≧（−０．１６・ｌｏｇe（Ｌa）＋３．５）
・Ｅs・Ｒs・Ｒh／（π  ・（１−Ｒh）・Ｔd） （式５）
Ｌｄ＜（−０．８９・ｌｏｇe（Ｌa）  ＋  ８．２）
・Ｅs・Ｒs・Ｒh／（π  ・（１−Ｒh）・Ｔd） （式６）
また、観察者の置かれた環境の背面輝度をＬa（Ｃｄ／ｍ2）は、観察者の置かれた環境の背面照度Ｅa（ｌｘ）から、次式のように規定される。
【００６７】
Ｌa＝Ｅa・Ｒw／π
（ただし、Ｒwは、一般家庭の室内壁面の平均反射率）
表示部２からの表示情報Ｂの輝度Ｌｄ（Ｃｄ／ｍ2）は、の適正範囲は、次式で規定される。
Ｌｄ≧（−０．１６・ｌｏｇe（Ｅa・Ｒw／π）＋３．５）
・Ｅs・Ｒs・Ｒh／（π  ・（１−Ｒh）・Ｔd） （式７）
Ｌｄ＜（−０．８９・ｌｏｇe（Ｅa・Ｒw／π）  ＋  ８．２）
・Ｅs・Ｒs・Ｒh／（π  ・（１−Ｒh）・Ｔd） （式８）
観察者の顔面の反射率Ｒs  を０．３３、ミラー１の透過効率Ｔdを０．９であるから、表示部２からの表示情報Ｂの輝度Ｌｄ（Ｃｄ／ｍ2）は、の適正範囲は、次式で規定される。
Ｌｄ≧０．１１６７Ｅs・Ｒh（−０．１６ｌｏｇe（Ｅa・Ｒw／π）＋３．５）
／（１−Ｒh）                                                  
Ｌｄ＜０．１１６７Ｅs・Ｒh（−０．８９Ｌｏｇe（Ｅa・Ｒw／π）＋８．２）
／（１−Ｒh）                                                       
さらに、一般家庭の室内壁面の平均反射率Ｒwは、０．７であるから、表示部２からの表示情報Ｂの輝度Ｌｄ（Ｃｄ／ｍ2）は、の適正範囲は、次式で規定される。
【００６８】
Ｌｄ≧０．１１６７Ｅs・Ｒh（−０．１６ｌｏｇe（０．２２２８・Ｅa）
＋３．５）／（１−Ｒh）                                        
Ｌｄ＜０．１１６７Ｅs・Ｒh（−０．８９Ｌｏｇe（０．２２２８・Ｅa）
＋８．２）／（１−Ｒh）                                      
観察者の顔面照度Ｅs（ｌｘ）と観察者の置かれた環境の背面照度Ｅa（ｌｘ）は同じであるから、
Ｅs = Ｅa                                                  として
表示部２からの表示情報Ｂの輝度Ｌｄ（Ｃｄ／ｍ2）は、の適正範囲は、観察者の置かれた環境の背面照度Ｅa（ｌｘ）との関係で、次式で規定される。
【００６９】
Ｌｄ≧０．１１６７Ｅa ・Ｒh（−０．１６ｌｏｇe（０．２２２８・Ｅa）
＋３．５）／（１−Ｒh）                                    （式９）
Ｌｄ＜０．１１６７Ｅa ・Ｒh（−０．８９Ｌｏｇe（０．２２２８・Ｅa）
＋８．２）／（１−Ｒh）                                    （式１０）
また、環境の背面照度Ｅaを一般家庭のリビングの照度として想定される１００（ｌｘ）とすると、表示部２からの表示情報Ｂの輝度Ｌｄ（Ｃｄ／ｍ2）は、の適正範囲は、次式で規定される。
【００７０】
Ｌｄ ≧  ３５．０５Ｒh／（１−Ｒh）                  （式１１）
Ｌｄ ＜  ６３．４６Ｒh／（１−Ｒh）                  （式１２）
一方、ミラー１を透過した表示部２からの表示情報Ｂの輝度Ｌｄ2（Ｃｄ／ｍ2）と、表示部２からの表示情報Ｂの輝度Ｌｄ（Ｃｄ／ｍ2）との関係は、前記したように、
Ｌｄ2＝Ｌｄ・（１−Ｒh）・Ｔｄ                              
であるから、ミラー１を透過した表示部２からの表示情報Ｂの輝度Ｌｄ2（Ｃｄ／ｍ2）の適正範囲は、式（７）及び式（８）より、次式のように規定される。
【００７１】
Ｌｄ2≧（−０．１６・ｌｏｇe（Ｅa・Ｒw／π）＋３．５）・Ｅs・Ｒs・Ｒh／π
（式１３）
Ｌｄ2＜（−０．８９・ｌｏｇe（Ｅa・Ｒw／π）＋８．２）・Ｅs・Ｒs・Ｒh／π
（式１４）
観察者の顔面の反射率Ｒsを、０．３３、一般家庭の室内壁面の平均反射率Ｒwは、０．７であり、観察者の顔面照度Ｅs（ｌｘ）と観察者の置かれた環境の背面照度Ｅa（ｌｘ）は同じであるから、ミラー１を透過した表示部２からの表示情報Ｂの輝度Ｌｄ2（Ｃｄ／ｍ2）は、の適正範囲は、観察者の置かれた環境の背面照度Ｅa（ｌｘ）との関係で、次式で規定される。
【００７２】
Ｌｄ2≧（−０．１６・ｌｏｇe（０．２２２８・Ｅa）＋３．５）・０．１０５
・Ｅa・Ｒh  
（式１５）
Ｌｄ2＜（−０．８９・ｌｏｇe（０．２２２８・Ｅa）＋８．２）・０．１０５
・Ｅa・Ｒh
（式１６）
また、環境の背面照度Ｅaを一般家庭のリビングの照度として想定される１００（ｌｘ）とすると、ミラー１を透過した表示部２からの表示情報Ｂの輝度Ｌｄ（Ｃｄ／ｍ2）は、の適正範囲は、次式で規定される。
【００７３】
Ｌｄ2≧３１．５３６・Ｒh                                （式１７）
Ｌｄ2＜５７．０９６・Ｒh                                （式１８）
次に、観察者の置かれた環境の背面照度Ｅa（ｌｘ）を、一般家庭のリビングの照度として想定される１００（ｌｘ）とし、ミラー１の反射率Ｒhを、０．６、０．７、０．８、０．９として、表示部２からの表示情報Ｂの輝度Ｌｄ（Ｃｄ／ｍ2）は、の適正範囲を算出した。図１３に、環境の背面照度Ｅa（ｌｘ）を１００（ｌｘ）としたとき、ミラー１の反射率Ｒhに対する、表示情報Ｂの輝度Ｌｄ（Ｃｄ／ｍ2）の適正範囲を示す。また、図１４に、そのグラフを示す。
【００７４】
図１４に示すように、２つの曲線で囲まれた斜線の範囲でミラー１を透過した表示部２からの表示情報Ｂの輝度Ｌｄを表示することによって、反射画像Ａと表示情報Ｂとが重なった場合においても、表示情報Ｂの反射画像Ａに対するコントラストを適正な範囲にすることができ、観察者に見やすいミラーディスプレイ装置を提供することができる。
実施の形態１の一態様に係るミラーディスプレイ装置１０では、具体的には、制御部４のメモリ１０２に、センサー部３で測定する背面輝度Ｅaに対応して、表示部２から発すべき輝度Ｌｄ2に関するパラメータを特性パラメータとして記憶した。制御回路１０１がメモリ１０２から特性パラメータを読み出し、外部から入力された映像信号データをその特性パラメータに基づいて補正して、データ線駆動回路１０４へと出力する構成とした。
【００７５】
補正方法としては、例えば、表示情報Ｂを表示するための映像信号を示すＲＧＢの値から輝度値Ｌの値を、図１２のステップＢに示した計算式で算出する。得られた表示情報Ｂに関する輝度値Ｌの最大値を、式（１５）から算出される輝度値に割り当て、表示情報Ｂに関する輝度値Ｌの最小値を式（１６）から算出される輝度値に割り当て、最大値と最小値の間の輝度は、式（１５）から算出される輝度値と式（１６）から算出される輝度値の間の範囲において線形補間に基づき割り当てられる方法であっても良い。しかしながら、補正方法は、他の方法であっても良く、上記した方法には限られない。
≪実施の形態２≫
以下、本発明の実施の形態２の一態様に係るミラーディスプレイ装置１０００について、図面を参照しながら説明する。
【００７６】
実施の形態２の一態様にかかるミラーディスプレイ装置１０００は、実施の形態１の一態様にかかるミラーディスプレイ装置１０において、補助照明６を付加したものである。図１５は、実施の形態２の一態様にかかるミラーディスプレイ装置１０００の構成図である。図１５に示すように、ミラー１、表示部２、センサー部３、制御部４、筐体５、補助照明６を有する。このうち、ミラー１、表示部２、センサー部３、制御部４、筐体５、については、実施の形態１の一態様にかかるミラーディスプレイ装置１０と同じであり、説明を省略する。
【００７７】
補助照明６は、各２Ｗの白色ＬＥＤからなる光源６ａ及び６ｂを各々５個ずつ配置した左側ユニット６Ａ及び右側ユニット６Ｂから構成される。そのため、左側ユニット６Ａ及び右側ユニット６Ｂ全体では２０Ｗの容量を有する。白色ＬＥＤからなる光源６ａ及び６ｂの発光効率は１個あたり１００ｌｍ／Ｗである。そのため、左側ユニット６Ａ及び右側ユニット６Ｂ全体では最大２０００ｌｍの光を発光する。配光角は半値幅が３０度である。制御部４は、補助照明６の左側ユニット６Ａ及び右側ユニット６Ｂを構成する光源６ａ及び６ｂからの光の強度を図示しない操作手段からの指示に基づいて調光して点灯させることができる。
【００７８】
一般に化粧台では観察者の顔面照度が３００ｌｘ以上であることが望ましい。一般的な家庭のリビングでの顔面照度は１００ｌｘ程度と考えられることから２００ｌｘ程度の補助照明があれば、化粧がしやすい明るさを確保することができる。ミラーディスプレイ装置１０００では、補助照明６を備えたことにより、化粧がしやすい明るさを実現することができる。
【００７９】
また、補助照明６の平均演色評価指数Ｒａは高いほど、基準光下での色の見え方に近い。さらに、肌色の見え方が高いほど、いきいきとした化粧が可能となる。そのため、補助照明６の平均演色評価数Ｒａは９０以上とし、かつ、日本人女性の肌色の好ましさ指数ＰＳは９０以上とした。（色彩科学ハンドブック第３版、参照のこと）さらに、照明の相関色温度は５０００Ｋ以上が好ましい。図１６は、実施の形態２の変形例の一態様に用いるために評価した補助照明６の相関色温度と観察者の瞳孔開口率の関係を示す特性図である。図１６に示す通り、観察者の瞳孔開口率を約０．５５より小さくすることにより、ミラー面での被写界深度を深くし、まぶしさを感じやすいことを防止できる。尚、化粧台として、筐体５は乳白色のアクリル板を使用しても良い。
≪変形例≫
以下、本発明の実施の形態２の変形例に係る一態様に係るミラーディスプレイ装置１００１について、説明する。変形例の一態様にかかるミラーディスプレイ装置１００１は、図１５に示す実施の形態２の一態様にかかるミラーディスプレイ装置１０００と同様に、ミラー１、表示部２、センサー部３、制御部４、筐体５、補助照明６を有する点で構成は同じである。変形例の一態様にかかるミラーディスプレイ装置１００１は、実施の形態１２の一態様にかかるミラーディスプレイ装置１０００において、制御部４における補助照明６に対する点灯制御を、センサー部３での照度測定結果に基づいて、光源６ａ及び６ｂが発する光の強度を調光して点灯させるようにした点で相違する。
【００８０】
制御部４では、センサー部３により実在空間での順応照度が算出する。このとき、順応照度と顔面照度はほぼ同等であるため、化粧に理想的な顔面照度３００ｌｘに対する照度の不足値を算出する。そして、照度の不足値を補うよう補助照明６に与える電力を算定する。例えば、補助照明に与える電力は、補助照明に使用されている光源の発光効率、光源の半値角度、光源と顔の距離等に基づいて算出することができる。例えば、タブレットタイプであれば、光源と顔の距離を５００ｍｍで考える。さらに、発光効率１００ｌｍ／ｗ、半値幅３０度とすると、電力は１４．４Ｗが必要となる。光源と顔の距離を５００ｍｍと設定しておき、発光効率や半値幅は使用する光源によって適した値に設定すれば、センサー部３からの出力に基づき補助照明６に供給する電力を計算できる。さらに、光源と顔の距離を測定する距離センサーを備えても良い。更に精度の高い補助照明の光量の照射が実現できる。
≪まとめ≫
以上、説明したとおり、本実施の形態の一態様では、ミラーディスプレイ装置において、ミラーとしての表示と、ディスプレイ装置としての表示を、同時に表示するときに、両方の表示を見やすいように表示することができる。これにより、ミラーとディスプレイ装置の機能を同時に使うアプリケーションが可能となる。例えば、使用者が実際に化粧をするときに、化粧方法に関する情報をタイムリーに提供することができる化粧支援システムとして使用可能なミラーディスプレイ装置を提供できる。
【００８１】
なお、発明の理解の容易のため、上記各実施の形態で挙げた各図の構成要素の縮尺は実際のものと異なる場合がある。また本発明は上記各実施の形態の記載によって限定されるものではなく、本発明の要旨を逸脱しない範囲において適宜変更可能である。
さらに、有機ＥＬ表示パネルにおいては電極のリード線等の部材も存在するが、電気的配線、電気回路については発光素子、表示装置等の技術分野における通常の知識に基づいて様々な態様を実施可能であり、本発明の説明として直接的には無関係のため、説明を省略している。尚、上記示した各図は模式図であり、必ずしも厳密に図示したものではない。
【産業上の利用可能性】
【００８２】
本発明のミラーディスプレイ装置は、例えば、個人用、家庭用、住宅用もしくは公共施設、あるいは業務用の各種表示装置、テレビジョン装置、携帯型電子機器、化粧台、窓、鏡用ディスプレイ等として用いられるミラーディスプレイ装置等に好適に利用可能である。
【符号の説明】
【００８３】
１  ミラー
２  表示部
３  センサー部
４  制御部
５  筐体
６  補助照明
１０  実施の形態１に係るミラーディスプレイ装置
１１  基板
１２  陰極
１３  隔壁
１４  電子注入層
１５  電子輸送層
１６  有機発光層
１７  正孔輸送層
１８  正孔注入層
１９  陽極
１００  サブ画素
３００  画素
１０００  実施の形態２に係るミラーディスプレイ装置
１００１  実施の形態２の変形例に係るミラーディスプレイ装置
【図１】
2014032312.tif 000003
【図２】
2014032312.tif 000004
【図３】
2014032312.tif 000005
【図４】
2014032312.tif 000006
【図５】
2014032312.tif 000007
【図６】
2014032312.tif 000008
【図７】
2014032312.tif 000009
【図８】
2014032312.tif 000010
【図９】
2014032312.tif 000011
【図１０】
2014032312.tif 000012
【図１１】
2014032312.tif 000013
【図１２】
2014032312.tif 000014
【図１３】
2014032312.tif 000015
【図１４】
2014032312.tif 000016
【図１５】
2014032312.tif 000017
【図１６】
2014032312.tif 000018